(57)【特許請求の範囲】
【請求項１】
器具表面に開口した乾電池収納部に挿入し得るダミー電池と該ダミー電池に接続され乾電池収納部内の電極に外部からの電力を供給する延長コードとを備えた電源装置において、上記乾電池収納部はダミー電池の挿入方向に対して略直角方向からダミー電池を弾性的に挟持する固定電極を備え、ダミー電池を乾電池収納部内に収納された状態から取り出し方向への移動時に固定電極に係合し乾電池収納部からのダミー電池の脱落を防止する係合片をダミー電池に形成したことを特徴とする電源装置。
【請求項２】
上記ダミー電池の表面のうち、乾電池収納部内に収納された状態で外部に露出する部分に指掛け用の凹部を形成したことを特徴とする請求項１記載の電源装置。
【発明の詳細な説明】
【０００１】
【発明の属する技術分野】
本発明は、器具表面に開口した乾電池収納部に挿入し得るダミー電池と該ダミー電池に接続され乾電池収納部内の電極に外部からの電力を供給する延長コードとを備えた電源装置に関する。
【０００２】
【従来の技術】
カウンタトップに形成された開口に上方からセットする、いわゆるドロップイン式のガスコンロが知られている。該ドロップイン式のガスコンロであって器具本体の下面に主にガスコンロの点火用電源として用いられる乾電池を収納する乾電池収納部が開口されている。このようなガスコンロでは一旦カウンタトップに取り付けられるとガスの配管等がされるため容易にカウンタトップから取り外すことができない。そのため乾電池の交換はガスコンロがカウンタトップに取り付けられた状態で下方から行う必要があり、一般にカウンタトップの下方にはキャビネットを兼ねた空間等が確保されている。
【０００３】
【発明が解決しようとする課題】
カウンタトップの下方に梁等の構造物がある場合やカウンタトップの下方に組込型のオーブンや食器洗浄機、あるいは外国では電気洗濯機等の他の器具が配設される場合には、カウンタトップにガスコンロをセットすると構造物や他の器具によって乾電池収納部が覆われ電池交換ができなくなるという不具合がある。尚、このような場合にはガスコンロ内に電源部を組み込み、外部の商用電源から供給される交流を降圧し整流して用いることも考えられるが、電源部を追加するためコストが高くなる。
【０００４】
また、特開昭６０−１４６４４９号公報により、電池収納部に出し入れ自在の保持トレイを設け、該保持トレイにボタン電池を２個保持させた状態で乾電池収納部に保持トレイを押し込むことによりボタン電池をセットするように構成した場合に、２個のボタン電池を一体にしたダミー電池を保持トレイに保持させ乾電池収納部内に収納し、ダミー電池に接続された延長コードを介して外部から電力を供給するようにしたものが知られている。ところが、上記のようなドロップイン式のガスコンロに設けた乾電池収納部には保持トレイがないため単にダミー電池を格納させただけでは延長コードを引き回す際にダミー電池が乾電池収納部から脱落するおそれがあり、ダミー電池の保持に関する信頼性に欠けるという問題がある。
【０００５】
そこで本発明は、上記の問題点に鑑み、コストが高くならず、且つ信頼性のある電源装置を提供することを課題とする。
【０００８】
【課題を解決するための手段】
上記課題を解決するために本発明は、器具表面に開口した乾電池収納部に挿入し得るダミー電池と該ダミー電池に接続され乾電池収納部内の電極に外部からの電力を供給する延長コードとを備えた電源装置において、上記乾電池収納部はダミー電池の挿入方向に対して略直角方向からダミー電池を弾性的に挟持する固定電極を備え、ダミー電池を乾電池収納部内に収納された状態から取り出し方向への移動時に固定電極に係合し乾電池収納部からのダミー電池の脱落を防止する係合片をダミー電池に形成したことを特徴とする。
【０００９】
該構成によれば、ダミー電池を乾電池収納部内に収納した状態で延長コードが引っ張られても係合片が固定電極に係合してダミー電池の脱落が防止される。
【００１０】
尚、上記ダミー電池の表面のうち、乾電池収納部内に収納された状態で外部に露出する部分に指掛け用の凹部を形成すれば、固定電極に対する係合片の係合を解除してダミー電池を乾電池収納部から取り出す作業を容易に行うことができる。
【００１１】
【発明の実施の形態】
図１及び図２を参照して、１はドロップイン式のガスコンロであり、カウンタトップＣＴに開設された開口Ｗ内に上方から挿入し取り付けられる。該ガスコンロ１の下面にはガス供給口１１が設けられており、ガスコンロ１がカウンタトップＣＴに取り付けられるとガス供給口１１にガス供給管（図示せず）が配管される。そのため一旦ガスコンロ１がカウンタトップＣＴに取り付けられると容易にはガスコンロ１をカウンタトップＣＴから取り外すことができない。該ガスコンロ１は乾電池を電源として点火プラグを作動させるタイプのものであり、そのため、ガスコンロ１の下面には乾電池収納部である電池ケース２が下方に開口した状態で設けられている。電池ケース２内の乾電池を交換する場合にはカウンタトップＣＴの下方に設けられたキャビネットＣＢを開放し、ガスコンロ１がカウンタトップＣＴに取り付けられた状態のままでキャビネットＣＢに手を差し入れて乾電池の交換を行う必要がある。ところが、本実施の形態のように、カウンタトップＣＴの構造上、開口Ｗの下方に梁ＢＭが横切る場合がある。この場合にはカウンタトップＣＴにガスコンロ１を取り付けると電池ケース２が梁ＢＭで塞がれ乾電池を交換できなくなる。そこで、そのような場合にはガスコンロ１をカウンタトップＣＴに取り付ける際に、延長コード４が接続されたダミー電池３を電池ケース２内にセットすることとした。延長コード４には別途の電池ケース４１が接続されており、ガスコンロ１をカウンタトップＣＴに取り付けたあと、延長コード４を適宜引き回して電池ケース４１をキャビネットＣＢ内の電池交換し得る箇所に取り付ける。電池ケース４１内にセットされた乾電池からの電力は延長コード４を介してダミー電池３に供給され、該ダミー電池３からガスコンロ１に電力が供給される。
【００１２】
図３及び図４を参照して、該ダミー電池３は直方体に形成されており、長手方向両端部に陰極用の電極３１と陽極用の電極３２とが取り付けられいる。両電極３１・３２は共に板状であり、係合片３１ａ・３２ａが切り起こされている。一方電池ケース２には陽極用の固定電極２２と陰極用の固定電極２１とが取り付けられている。固定電極２１はばね状に形成されており、ダミー電池３を固定電極２２側に付勢しダミー電池３を弾性的に挟持するように構成されている。また、固定電極２２は略正方形に形成されており、固定電極２２の周縁は電池ケース２の内周面より若干突き出している。そのため電池ケース２内にダミー電池３をセットした状態でダミー電池３を引き出そうとすると、電極３２の係合片３２ａが固定電極２２の周縁に係合する。一方、電極３１の係合片３１ａはばね状の固定電極２１に係合するので、引き回し工事中に延長コード４が不用意に引っ張られてもダミー電池３が電池ケース２内から外れて固定電極２１・２２に対して接触不良を起こすことはない。尚、ダミー電池３を電池ケース２から取り外したい場合にはダミー電池３の露出面に形成した指掛け用の凹部３３に指を挿入し、ダミー電池３を一旦固定電極２１側にスライドさせて係合片３２ａが固定電極２２に係合しないようにして電極３２側を先行して電池ケース２から引き出すようにする。そしてその後、係合片３１ａが固定電極２１に係合しないようにしてダミー電池３を電池ケース２から取り出す。
【００１３】
ダミー電池３には各電極３１・３２に接続されている端子３１ｂ・３２ｂが接続部として設けられている。該端子３１ｂ・３２ｂにはコネクタ４０を介して延長コード４が接続される。端子３１ｂ・３２ｂは共に電池ケース２内にダミー電池３をセットした状態で一番奥まる面に設けられている。延長コード４はダミー電池３の側面に形成した凹部通路３４内を通って電池ケース２の外部に引き出される。コネクタ４０を両端子３１ｂ・３２ｂから引き外す方向Ｘと延長コード４の引出方向Ｙとが一致しないので、ダミー電池３が電池ケース２内にセットされている状態で延長コード４が上記と同じく不用意に引っ張られてもコネクタ４０が端子３１ｂ・３２ｂから外れることはない。
【００１４】
尚本実施の形態ではダミー電池３を円筒状ではなく直方体に形成したので、延長コード４が引っ張られてもダミー電池３が電池ケース２内で回転することはない。また、図４に示すように、ダミー電池３が電池ケース２の開口周縁部より外方に突出しないようにした。
【００１５】
【発明の効果】
以上の説明から明らかなように、本発明は、乾電池を電源とするガス器具が乾電池の交換ができない状態で使用される場合であってもそのまま乾電池を電源として使用することができ、且つ、使用中や器具設置時に接触不良をおこし電力が供給されなくなるといった不具合を解消することができる。
【図面の簡単な説明】
【図１】ガスコンロの取り付け状態を示す図
【図２】ガスコンロの底面を示す図
【図３】ダミー電池の形状を示す斜視図
【図４】ダミー電池のセット状態を示す部分断面図
【符号の説明】
１  ガスコンロ
２  電池ケース
３  ダミー電池
４  延長コード
２１  固定電極
２２  固定電極
３１ａ  係合片
３２ａ  係合片
４０  コネクタ
ＢＭ  梁
【図１】
0004082647.tif 000002
【図２】
0004082647.tif 000003
【図３】
0004082647.tif 000004
【図４】
0004082647.tif 000005